(57)【要約】      （修正有）【課題】着物を二部式（上衣と下衣にセパレートさせる）に構成し、まず下衣を着用した後、続いて上衣を着用することで、着物を着慣れていない人でも、扱いなれた洋服感覚で着物を手早くきちんと着られるようにし、着付けた後は着崩れが起こりにくい二部式着物の提供。【解決手段】着物を上衣１と下衣２とに二分し、下衣は巻きスカート状に形成し、上衣の下端周縁１ａにおける、右脇下部位から左脇下部位に至る位置に袋状紐通し部７を形成し、この袋状紐通し部内に絞り紐８を挿通し、その絞り紐の一端を上衣の右脇下部位１０に係止し、他端を自由端８ａとして左脇下部位１１から延出するように配設させ、上衣の右側下端部１０には前記絞り紐と結び合える下前紐９を係止し、上衣の左側下端部の裏面及び、上衣の右側下端部表面には面ファスナー１２を取り付けたことを特徴とする。【選択図】図２
0003113081.tif 000002
【実用新案登録請求の範囲】
【請求項１】
着物を上衣と下衣とに二分し、下衣は巻きスカート状に形成し、上衣の下端周縁における、右脇下部位から左脇下部位に至る位置に袋状紐通し部を形成し、この袋状紐通し部内に絞り紐を挿通し、その絞り紐の一端を上衣の右脇下部位に係止し、他端を自由端として左脇下部位から延出するように配設させ、上衣の右側下端部には前記絞り紐と結び合える下前紐を係止し、上衣の左側下端部の裏面及び、上衣の右側下端部表面には面ファスナーを取り付けたことを特徴とする二部式着物。
【考案の詳細な説明】
【技術分野】
【０００１】
本考案は、着物を二部式（上衣と下衣にセパレートさせる）に構成し、まず下衣を着用した後、続いて上衣を着用することで、着物を着慣れていない人でも、扱いなれた洋服感覚で着物を手早くきちんと着られるようにし、着付けた後は着崩れが起こりにくい二部式着物に関する。
【背景技術】
【０００２】
従来、着物は、着用者の身丈以上の長さに形成された前身ごろと後身ごろとを有し、これを着るに際しては、腹部付近の胴回りで着物の丈を適宜の長さに折り返して着丈寸法の調整（裾位置の調整）を行い、腹部付近の胴回りに「おはしょり」と称せられる折り返し部を形成するものであった。
【０００３】
このような従来の着物は、着物の構造、着付けの手順、多数の腰紐の使用、帯締めの必要などの理由から、着付け途中で着物の一部を押さえつけながら締め付けを行なったり、着物の後姿の各部位の位置調整を行なう必要があったりするため、初心者又は着なれない人にとって、介助者なしで一人で着付けを行なうのは大変困難であった。
【０００４】
【特許文献１】実公平３−４５９２４号公報
【考案の開示】
【考案が解決しようとする課題】
【０００５】
上記特許文献１に記載された二部式着物は、上衣の後身ごろの下端部にベルトを取り付け、このベルトを締め付けることで、腰紐等を使用せずに着物の着付けを行なえるようにしたものである。
しかしながら、このような二部式着物では、上衣の下端部を洋服のように締め付けることはできても、着物の着付け時に形成される「おはしょり」を作ることができないという問題点があった。
【０００６】
さらに、特許文献１に記載された二部式着物のベルト締めでは、ベルトが外部から見えてしまうので見栄えのある着付けを行なうことは困難であった。
本考案は、上記の全ての問題点を解消して、着付けが簡単に行なえ、着付けた後は着崩れが起こりにくい二部式着物を提供せんとするものである。
【課題を解決するための手段】
【０００７】
上記目的を達成するために、請求項１記載の考案は、着物を上衣と下衣とに二分し、下衣は巻きスカート状に形成し、上衣の下端周縁における、右脇下部位から左脇下部位に至る位置に袋状紐通し部を形成し、この袋状紐通し部内に絞り紐を挿通し、その絞り紐の一端を上衣の右脇下部位に係止し、他端を自由端として左脇下部位から延出するように配設させ、上衣の右側下端部には前記絞り紐と結び合える下前紐を係止し、上衣の左側下端部の裏面及び、上衣の右側下端部表面には面ファスナーを取り付けたことを特徴とする二部式着物である。
【考案の効果】
【０００８】
以上述べたように、請求項１の二部式着物によれば、上衣の下端周縁に袋状紐通し部と、その中に挿通される絞り紐を設けたため、上衣を羽織った後この絞り紐をしごくように引き出して、ウエスト位置から落ちないように下前紐と結び、この状態で「おはしょり」を形成し、上衣の左側下端部の裏面及び、上衣の右側下端部表面の面ファスナー同士を合わせて上衣の前部分をきちんとそろえることが可能となり、着物の着付けが極めて簡単になり、かつ「おはしょり」が簡単に形成でき、着付けた後は着崩れが起こりにくいという効果がある。
【考案を実施するための最良の形態】
【０００９】
以下添付図面に基づいて、本考案に係る二部式着物の実施例を詳説する。
図１は本考案二部式着物の上衣を畳んだ状態の正面図、図２は同下端を展開させた状態の正面図、図３は本考案二部式着物の下衣の展開状態の正面図、図４は長襦袢を着た上で、下衣を着用した状態の正面図、図５は上衣を羽織り、絞り紐を十分に引き出した状態の正面図、図６は引き出した絞り紐の自由端と下前紐とを結び合わせる状態の正面図、図７は絞り紐と下前紐の結び目を「おはしょり」の裏にしまった後、面ファスナーを合わせて留めた状態の正面図、図８は重ね合わせて留めた面ファスナーを裏返し、「おはしょり」を作って整えた状態の正面図、図９は帯〆を結び、着付けが完成した状態の正面図である。
【実施例１】
【００１０】
本考案の二部式着物は、上衣１と下衣２との二部式で構成され、上衣１は普通の着物の上半身分に相当し、下衣２は下半身分に相当するもので巻きスカート状を呈している。
【００１１】
図１及び図２に示される上衣１は、衿３、袂４、前身ごろ５、後身ごろ６などから構成され、上衣１の下端周縁１ａにおける、右脇下部位１０から左脇下部位１１に至る位置に袋状紐通し部７が形成されている。
【００１２】
この袋状紐通し部７には絞り紐８が挿通され、上衣１の右側下端部には下前紐９が係止されている。絞り紐８の一端は上衣１の下端周縁１ａにおける、右脇下部位１０に適宜の固着手段（一例として縫着）で係止されており、絞り紐８の他端は自由端として袋状紐通し部７の先端から先に延出している。
また上衣１の左側下端部の裏面及び、上衣１の右側下端部表面には面ファスナー１２がそれぞれ取り付けられている。
【００１３】
図３に示される下衣２は全体が巻きスカート状であり、下衣２の左右上端付近には留め紐１３，１４が設けられている。
このような構成からなる二部式着物を、実際に着付ける手順を、図面に沿って説明する。
【００１４】
図４に示すように、長襦袢１５を着用した後、まず下衣２を着用するため、下衣２の留め紐１３，１４を腰部で結び付ける。このとき、下前や、留め紐１３，１４が前から見えないように注意する。
【００１５】
ついで図５に示すように、上衣１を羽織り、左脇裾にある絞り紐８の先端８ａをつまみながら、絞り紐８を十分に袋状紐通し部７から引き出す。これにより袋状紐通し部７と上衣１の下端周縁１ａがしごかれて、上衣１の下端周縁１ａが体にフィットすることになり、その状態で絞り紐８と下前紐９とをウエスト位置から落ちないように結び付け、かつ「おはしょり１６」の処理を行なう（図６参照）。
【００１６】
その後、図７に示すように結びつけた絞り紐８と下前紐９とを「おはしょり１６」の裏側にしまいこみ、前述の面ファスナー１２同士を合わせて上衣１の下端周縁１ａの左右を留める。
【００１７】
続いて、図８に示すように、重ね合わせて留めた面ファスナー１２同士を折り返して「おはしょり１６」の形、並びに上衣１の衿３付近を整える。
【００１８】
最後に図９に示すように、帯〆１７を結び、帯１８の皺を取り、帯揚げ１９を整えることで、本考案の二部式着物の着付けは完了する。
【産業上の利用可能性】
【００１９】
本考案の二部式着物は、この二部式着物を製造する着物製造業や、この二部式着物を着用する人々において、特に利用することが可能である。
【図面の簡単な説明】
【００２０】
【図１】本考案二部式着物の上衣を畳んだ状態の正面図である。
【図２】同下端を展開させた状態の正面図である。
【図３】本考案二部式着物の下衣の展開状態の正面図である。
【図４】長襦袢を着た上で、下衣を着用した状態の正面図である。
【図５】上衣を羽織り、絞り紐を十分に引き出した状態の正面図である。
【図６】引き出した絞り紐の自由端と下前紐とを結び合わせる状態の正面図である。
【図７】絞り紐と下前紐の結び目を「おはしょり」の裏にしまった後、面ファスナーを合わせて留めた状態の正面図である。
【図８】重ね合わせて留めた面ファスナーを裏返し、「おはしょり」を作って整えた状態の正面図である。
【図９】帯〆を結び着付けが完成した状態の正面図である。
【符号の説明】
【００２１】
１…上衣
１ａ…上衣の下端周縁
２…下衣
３…衿
４…袂
５…前身ごろ
６…後身ごろ
７…袋状紐通し部
８…絞り紐
８ａ…絞り紐の先端
９…下前紐
１０…右脇下部位
１１…左脇下部位
１２…面ファスナー
１３，１４…留め紐
１５…長襦袢
１６…おはしょり
１７…帯〆
１８…帯
１９…帯揚げ
【図１】
0003113081.tif 000003
【図２】
0003113081.tif 000004
【図３】
0003113081.tif 000005
【図４】
0003113081.tif 000006
【図５】
0003113081.tif 000007
【図６】
0003113081.tif 000008
【図７】
0003113081.tif 000009
【図８】
0003113081.tif 000010
【図９】
0003113081.tif 000011